(57)【要約】【課題】迅速かつ簡単にＯＮＵの異常検出を行う。【解決手段】ＯＬＴが、各ＯＮＵに排他的な送出タイミングを割り当てるスケジューリング手段と、スケジューリング手段により割り当てられた送出タイミングに沿ってデータ送信を行わせるための制御信号を各ＯＮＵに送信する制御信号送信手段と、伝送路を介して受信される光信号を監視する監視手段と、を備える。スケジューリング手段は、接続された全てのＯＮＵが光信号の送出を停止する無通信状態を含むようにスケジューリングし、監視手段は、無通信状態における受信状態を含めて監視する。【選択図】図１
2012151737.tif 000002
【特許請求の範囲】
【請求項１】
分岐装置により分岐された伝送路を介して複数の加入者側終端装置に接続されて用いられる局側光網終端装置であって、
前記各加入者側終端装置に排他的な送出タイミングを割り当てるスケジューリング手段と、
前記スケジューリング手段により割り当てられた送出タイミングに沿ってデータ送信を行わせるための制御信号を前記各加入者側終端装置に送信する制御信号送信手段と、
前記伝送路を介して受信される光信号を監視する監視手段と、を備え、
前記スケジューリング手段は、接続された全ての前記加入者側終端装置が光信号の送出を停止する無通信状態を含むようにスケジューリングし、
監視手段は、前記無通信状態における受信状態を含めて監視することを特徴とする局側光網終端装置。
【請求項２】
前記スケジューリング手段は、前記無通信状態を、通常運用中に周期的に設定することを特徴とする請求項１記載の局側光網終端装置。
【請求項３】
前記スケジューリング手段は、送出タイミングの割り当て対象である全ての前記加入者側終端装置に排他的な送出タイミングを割り当てる周期毎に前記無通信状態を含めるようスケジューリングすることを特徴とする請求項１記載の局側光網終端装置。
【請求項４】
前記スケジューリング手段は、前記各加入者側終端装置に排他的な送出タイミングを割り当てる度に、該送出タイミング直後に前記無通信状態を含めるようスケジューリングすることを特徴とする請求項１記載の局側光網終端装置。
【請求項５】
前記監視手段により、前記無通信状態に所定値以上の光受信レベルが検出された場合、異常発生と判定する異常判定手段を備えたことを特徴とする請求項１から４の何れか１項に記載の局側光網終端装置。
【請求項６】
請求項１から５の何れか１項に記載の局側光網終端装置に、前記分岐装置により分岐された伝送路を介して複数の前記加入者側終端装置が接続されて構成されたことを特徴とする光通信システム。
【請求項７】
分岐装置により分岐された伝送路を介して複数の加入者側終端装置に接続されて用いられる局側光網終端装置による異常検出方法であって、
前記各加入者側終端装置に排他的な送出タイミングを割り当てるスケジューリング工程と、
前記スケジューリング工程により割り当てられた送出タイミングに沿ってデータ送信を行わせるための制御信号を前記各加入者側終端装置に送信する制御信号送信工程と、
前記伝送路を介して受信される光信号を監視する監視工程と、を備え、
前記スケジューリング工程では、接続された全ての前記加入者側終端装置が光信号の送出を停止する無通信状態を含むようにスケジューリングし、
監視工程では、前記無通信状態における受信状態を含めて監視することを特徴とする異常検出方法。
【請求項８】
分岐装置により分岐された伝送路を介して複数の加入者側終端装置に接続されて用いられる局側光網終端装置のプログラムであって、
前記各加入者側終端装置に排他的な送出タイミングを割り当てるスケジューリング手順と、
前記スケジューリング手順により割り当てられた送出タイミングに沿ってデータ送信を行わせるための制御信号を前記各加入者側終端装置に送信する制御信号送信手順と、
前記伝送路を介して受信される光信号を監視する監視手順と、を前記局側光網終端装置のコンピュータに実行させ、
前記スケジューリング手順では、接続された全ての前記加入者側終端装置が光信号の送出を停止する無通信状態を含むようにスケジューリングし、
監視手順では、前記無通信状態における受信状態を含めて監視することを特徴とするプログラム。
【発明の詳細な説明】
【技術分野】
【０００１】
本発明は、例えばＰＯＮ（Passive Optical Network）システムなど、局側光網終端装置（ＯＬＴ；Optical Line Terminal）に、加入者側終端装置（ＯＮＴ；Optical Network Terminal／ＯＮＵ；Optical Network Unit、以下、ＯＮＵと呼ぶ）が伝送路を介して接続されて構成される光通信システムに用いられる局側光網終端装置、光通信システム、異常検出方法、および装置のプログラムに関する。
【背景技術】
【０００２】
従来より、通信事業者などの収容局（以下、局）から加入者宅に光ファイバを引き込むＦＴＴＨ（Fiber To The Home）を実現する技術の１つとして、１本の光ファイバ（伝送路）を分岐装置（光カプラ）によって分岐して複数の加入者宅に引き込むＰＯＮが利用されている。
【０００３】
このような、ＧＥ−ＰＯＮ（IEEE 802.3ah）やＧ−ＰＯＮ（ITU-T G984シリーズ）に代表される時分割多重方式を使用した一般的なＰＯＮシステムについて、図５を参照して説明する。
【０００４】
ＰＯＮシステムは、多くの場合、図５に例示するように、局内に設置された１台のＯＬＴに、加入者宅内に設置されたＯＮＵの複数が接続され、ポイント  ｔｏ  マルチポイント型に構成される。
【０００５】
このため、ＰＯＮシステムでは、図５に示すように、ＯＬＴが、各ＯＮＵに対して各々のＯＮＵの送信が重ならないように制御した送信制御信号（データを送信するタイミングを許可する情報）を送信し、各ＯＮＵが、送信制御信号によって許可されたタイミングでＯＬＴに対してデータを送信する。このことにより、各ＯＮＵからの信号が衝突することなく、ＯＬＴと各ＯＮＵとの間の通信が行われる。
【０００６】
ここで、ＰＯＮシステムでは、上述のように、１本の光ファイバに複数のＯＮＵのデータが光多重されることになるので、加入者宅側に設置されたいくつものＯＮＵの中に、許可されていないタイミングでデータを送信する異常なＯＮＵが存在してしまうと、他の正常なＯＮＵから送信されたデータと衝突するおそれがある。こうした衝突が発生すると、ＯＬＴと正常なＯＮＵとの間の通信が妨げられてしまう虞がある。
【０００７】
このため、ＯＬＴからの送信タイミング指示を守らない異常なＯＮＵを検出することを目的とした様々な技術が提案されている。
【０００８】
例えば、特許文献１では、ＯＬＴの異常検出手段が、ＯＮＵからアイドル時に送信されるアイドルパターンの継続時間を計数し、そのアイドルパターンの継続時間が規格に定められる規定値より長く、かつ論理接続が１つだけである場合に、そのＯＮＵを異常と判定するようにしている。
【０００９】
また、特許文献２では、ＯＮＵからの受信信号に対してフレーム同期できない場合、ＯＬＴが、データベースに基づく信号強度の予測値と受信信号の測定値とを比較し、差異が一定値以上であるか否かで受信信号の強度確認を行う。その差異が一定値以上である場合、ＯＮＵからの上り信号を受信しない無光状態が想定されるタイミングで受信信号の強度測定を行い、予測される受信信号の強度との差異を算出する。そして、その算出値を、データベースに予め登録した登録値と受信信号の強度との差異に対して比較することで、異常の発生を判定している。
【００１０】
また、特許文献３では、何れかのＯＮＵが連続光発光となる障害発生により、他のＯＮＵ全てからの光信号が受信不能となる障害が発生したことを検出すると、ＯＬＴが全てのＯＮＵに対して通信帯域の割当てを行わない命令を送信し、それから１つ１つのＯＮＵに順次最大通信帯域を割り当てていくことにより、異常ＯＮＵを特定するようにしている。
【００１１】
また、特許文献４では、ＯＬＴからの光ファイバを各ＯＮＵに向けて分岐させる光カプラ内に、各ＯＮＵそれぞれに対応した光検出部を個別に設け、それぞれの光検出部が対応するＯＮＵからの光信号の強度を検出することにより、連続発光障害の発生を検出すると共に、その障害発生したＯＮＵを特定するようにしている。
【００１２】
また、特許文献５では、光カプラからの光信号をＯＬＴ向けだけでなく、専用に設けたＯＮＵフレーム監視装置に対しても分岐させ、そのＯＮＵフレーム監視装置が各ＯＮＵからの上り信号を監視することで、各ＯＮＵからの上り信号が許可された時間領域を越えているか否かを検出するようにしている。
【先行技術文献】
【特許文献】
【００１３】
【特許文献１】特開２００８−２８４５１号公報
【特許文献２】特開２０１０−６８３６２号公報
【特許文献３】特開２００２−３５９５９６号公報
【特許文献４】特開２０１０−２１２７７８号公報
【特許文献５】特開平１１−９８０７８号公報
【発明の概要】
【発明が解決しようとする課題】
【００１４】
しかしながら、上述した特許文献１のものは、ＯＮＵそれぞれにアイドルパターンを送出させ、その継続時間によりＯＮＵの異常判定を行うものであり、全てのＯＮＵを無通信状態にさせることで異常判定を行うことについてまで考慮されたものではなかった。
【００１５】
また、上述した特許文献２のものは、ＯＮＵからの受信信号に対してフレーム同期できないことが検出されてから、予め登録したデータベースを用いて受信信号の強度確認や算出値との比較を行い、異常判定を行うものであり、全てのＯＮＵを無通信状態にさせることで迅速かつ簡単に異常判定を行うことについてまで考慮されたものではなかった。
【００１６】
また、上述した特許文献３のものは、他のＯＮＵ全てからの光信号を受信不能にさせるほどの連続発光障害が何れかのＯＮＵに発生した場合に、異常ＯＮＵの特定動作として１つ１つのＯＮＵだけに順次最大通信帯域を割り当てていくようにするものであり、通常運用状態の中で全てのＯＮＵを無通信状態にさせ、迅速かつ簡単に異常判定を行うことについてまで考慮されたものではなかった。
【００１７】
また、上述した特許文献４のものは、光カプラ内に、各ＯＮＵそれぞれに対応した光検出部を個別に設けるため、構成が複雑となっていた。すなわち、異常判定を簡単な構成で行うことについてまで考慮されたものではなかった。
【００１８】
また、上述した特許文献５のものは、ＯＮＵフレーム監視装置を専用に設けることで各ＯＮＵからの上り信号を監視するものであり、構成が複雑となっていた。すなわち、異常判定を簡単な構成で行うことについてまで考慮されたものではなかった。
【００１９】
本発明はこのような状況に鑑みてなされたものであり、全てのＯＮＵが送信を停止する無通信状態を通常運用中に設定することで、迅速かつ簡単に異常検出ができる局側光網終端装置（ＯＬＴ）、光通信システム、異常検出方法、および装置のプログラムを提供することを目的とする。
【課題を解決するための手段】
【００２０】
かかる目的を達成するために、本発明に係る局側光網終端装置は、分岐装置により分岐された伝送路を介して複数の加入者側終端装置に接続されて用いられる局側光網終端装置であって、各加入者側終端装置に排他的な送出タイミングを割り当てるスケジューリング手段と、スケジューリング手段により割り当てられた送出タイミングに沿ってデータ送信を行わせるための制御信号を各加入者側終端装置に送信する制御信号送信手段と、伝送路を介して受信される光信号を監視する監視手段と、を備え、スケジューリング手段は、接続された全ての加入者側終端装置が光信号の送出を停止する無通信状態を含むようにスケジューリングし、監視手段は、無通信状態における受信状態を含めて監視することを特徴とする。
【００２１】
また、本発明に係る光通信システムは、上述した本発明に係る局側光網終端装置に、分岐装置により分岐された伝送路を介して複数の加入者側終端装置が接続されて構成されたことを特徴とする。
【００２２】
また、本発明に係る異常検出方法は、分岐装置により分岐された伝送路を介して複数の加入者側終端装置に接続されて用いられる局側光網終端装置による異常検出方法であって、各加入者側終端装置に排他的な送出タイミングを割り当てるスケジューリング工程と、スケジューリング工程により割り当てられた送出タイミングに沿ってデータ送信を行わせるための制御信号を各加入者側終端装置に送信する制御信号送信工程と、伝送路を介して受信される光信号を監視する監視工程と、を備え、スケジューリング工程では、接続された全ての加入者側終端装置が光信号の送出を停止する無通信状態を含むようにスケジューリングし、監視工程では、無通信状態における受信状態を含めて監視することを特徴とする。
【００２３】
また、本発明に係るプログラムは、分岐装置により分岐された伝送路を介して複数の加入者側終端装置に接続されて用いられる局側光網終端装置のプログラムであって、各加入者側終端装置に排他的な送出タイミングを割り当てるスケジューリング手順と、スケジューリング手順により割り当てられた送出タイミングに沿ってデータ送信を行わせるための制御信号を各加入者側終端装置に送信する制御信号送信手順と、伝送路を介して受信される光信号を監視する監視手順と、を局側光網終端装置のコンピュータに実行させ、スケジューリング手順では、接続された全ての加入者側終端装置が光信号の送出を停止する無通信状態を含むようにスケジューリングし、監視手順では、無通信状態における受信状態を含めて監視することを特徴とする。
【発明の効果】
【００２４】
以上のように、本発明によれば、全ての加入者側終端装置が送信を停止する無通信状態を通常運用中に設定することで、迅速かつ簡単に異常検出ができる。
【図面の簡単な説明】
【００２５】
【図１】本発明の実施形態としてのＰＯＮシステムとデータ送信タイミング例を示す図である。
【図２】本発明の実施形態としてのＯＬＴ１の構成例を示すブロック図である。
【図３】異常発生時のデータ送信タイミング例を示す図である。
【図４】本発明の他の実施形態としてのＰＯＮシステムとデータ送信タイミング例を示す図である。
【図５】一般的なＰＯＮシステムとデータ送信タイミング例を示す図である。
【発明を実施するための形態】
【００２６】
次に、本発明に係る局側光網終端装置（ＯＬＴ）、光通信システム、異常検出方法、および装置のプログラムを適用したＰＯＮシステムの一実施形態について、図面を用いて詳細に説明する。
【００２７】
まず、本実施形態を概略的に説明する。
本実施形態は、図１に示すように、ＯＬＴ１に接続する単一の光ファイバ３を光カプラ２で分岐して、複数のＯＮＵ４にそれぞれ接続し、各ＯＮＵ４はＯＬＴ１により許可されたタイミングでＯＬＴ１に対して発光による信号をそれぞれ送信する光通信システムにおいて、ＯＬＴ１が通常運用時に、全てのＯＮＵ４が光信号の送出を停止する無通信状態となる無通信区間を用意し、この区間の光受信レベルを監視することにより、ＯＬＴ１より許可された送信タイミング指示を守らない異常なＯＮＵ４が存在することを速やかに検出できるようにしたことを特徴とする。
【００２８】
図２に示すように、ＯＬＴ１の光受信レベル測定部１３は、ＯＮＵ４からの光受信レベルを測定する。送信タイミング制御部（スケジューリング手段）１５は、各ＯＮＵ４に排他的な送信タイミングを指示するほか、通常運用中に全てのＯＮＵ４が送信を停止する無通信状態を用意し、このタイミングを異常ＯＮＵ検出部に通知する。異常ＯＮＵ検出部１４は、送信タイミング制御部によって通知されたタイミングで光受信レベル測定部から光受信レベルを読み出すことにより、光信号の送出を停止させている無通信状態の受信レベルを監視し、規定のレベルより高い受信レベルを検出した場合に異常ＯＮＵが発生したと判断する。
【００２９】
このように、本実施形態のＯＬＴ１は、通常運用中に必ず全てのＯＮＵ４が光信号の送出を停止する無通信状態を用意し、そのタイミングの光受信レベルを監視することにより、ＯＬＴ１からの送信タイミング指示を守らない異常ＯＮＵが存在することを速やかに検出することができる。
【００３０】
次に、本実施形態におけるＯＬＴ１の構成について、図２を参照して詳細に説明する。
図２に示すように、ＯＬＴ１は、光ファイバ３に接続され、光送信部１６からの光送信信号を光ファイバ３に送出し、光ファイバ３からの光受信信号を光受信部１２へ送出する光合分波器１１と、ＯＮＵ４からの光信号を受信する光受信部１２と、光受信部１２で受信した光受信レベルを測定する光受信レベル測定部１３とを備える。さらに、通常運用中に各ＯＮＵ４に排他的な送信タイミングを指示するほか、一定間隔で全てのＯＮＵ４が送信を停止する無通信状態を用意し、そのタイミングを異常ＯＮＵ検出部に提供する送信タイミング制御部１５と、ＯＮＵ４への送信データおよび送信制御信号を光信号として送信する光送信部１６とを備える。また、送信タイミング制御部１５から指示されたタイミングで光受信レベル測定部１３から光受信レベルを読み出し、無通信状態の受信レベルを監視し、規定のレベルより高い受信レベルを検出した場合に送信タイミング異常のＯＮＵが発生したと判断する異常ＯＮＵ検出部１４を備える。
【００３１】
次に、本実施形態による動作例について、図１、図３を参照して説明する。
【００３２】
送信タイミング制御部１５は、各ＯＮＵ４に対して排他的な送信タイミングを割り当てると共に、全てのＯＮＵ４が光信号を送出しない無通信状態となる無通信区間を周期的に用意するようスケジューリングを行う。この無通信状態の時間を、図１中に無通信区間ｔとして示す。
こうして送信タイミング制御部１５により割り当てられた各ＯＮＵ４（＃１〜＃ｎ）における上り信号送出タイミングなどの情報は、ＯＬＴ１から送信制御信号として各ＯＮＵ４へ送信される。
【００３３】
各ＯＮＵ４（＃１〜＃ｎ）は、ＯＬＴ１から受信した送信制御信号に従い、自装置に割り当てられたタイミングで上り方向のデータをＯＬＴ１に送信する。この際、ＯＬＴ１の異常ＯＮＵ検出部１４は、図１に示す無通信区間ｔの光受信レベルを光受信レベル測定部１３を使用して取得し、この無通信区間ｔの光受信レベルを連続で監視する。
【００３４】
正常動作時では、各ＯＮＵ４からの上り方向データは図１の“Ａ”，“Ｂ”，“Ｃ”のように排他的なタイミングで送信され、無通信区間には全てのＯＮＵ４が光信号を送出していないため、光受信レベルは無通信状態のレベルと同じとなる。
【００３５】
送信タイミング異常のＯＮＵが存在する場合、図３に例示するように、無通信区間ｔのタイミングで送信されているデータが存在する。図３の例では、ＯＮＵ４−ｎ（＃ｎ）による“Ｃ”のデータが無通信区間ｔに送出されている状態を示す。
この場合、無通信区間ｔの光受信レベルが通常のＯＮＵ無通信状態のレベルと所定値以上の差があると判断できるので、異常ＯＮＵ検出部１４は、ＯＬＴ１からの送信タイミング指示を守らない異常ＯＮＵが発生したことを検出できる。
【００３６】
以上のように、上述した実施形態では、ＯＬＴ１に接続する単一の光ファイバ３を光カプラ２で分岐して複数のＯＮＵ４にそれぞれ接続し、本ＯＬＴ１により許可された各ＯＮＵ４ごとのタイミングで各ＯＮＵ４から本ＯＬＴ１に対して発光による信号をそれぞれ送信する光通信システムにおいて、通常運用中に、送出タイミングの割り当て対象である全てのＯＮＵ４に排他的な送出タイミングを割り当てる周期毎に、全てのＯＮＵ４が送信を停止する無通信区間を設定する。
【００３７】
本実施形態によれば、ＯＬＴ１がその無通信区間の光受信レベルを監視することにより、光受信レベル異常を検出した場合、ＯＬＴ１より許可された送信タイミング指示を守らない異常ＯＮＵが存在することを速やかに検出することができる。
【００３８】
〔他の実施形態〕
次に、本発明の他の実施形態について、図４を参照して説明する。
図４に示す他の実施形態では、基本的構成は上述した実施形態と同様であるが、無通信区間を各ＯＮＵ４に割り当てた光信号送出タイミング間にそれぞれ挿入して異常ＯＮＵを特定しやすくするよう工夫している。上述した実施形態と同様のものについては説明を省略する。
【００３９】
送信タイミング制御部１５は、各ＯＮＵ４（＃１〜＃ｎ）に対して排他的な送信タイミングを割り当てる際に、そうして割り当てる各ＯＮＵ４による光信号送出タイミングそれぞれの直後に、全てのＯＮＵ４が光信号を送出しない無通信区間を用意するようスケジューリングを行う。この無通信状態の時間を、図４の例では無通信区間ｔ１〜ｔ３として示す。
【００４０】
送信タイミング制御部１５は、こうして各ＯＮＵ４の通信タイミング間に無通信区間を含めるように各ＯＮＵ４の送信タイミングを決定し、その各ＯＮＵ４における送信タイミングなどの情報を送信制御信号によりＯＮＵ４へ送信する。各ＯＮＵ４は、受信した送信制御信号に従い、自装置に排他的に割り当てられたタイミングで上り方向のデータをＯＬＴ１に送信する。
【００４１】
異常ＯＮＵ検出部１４は、各ＯＮＵ４の通信タイミング間に設定された無通信区間（図４の例ではｔ１〜ｔ３）の光受信レベルを光受信レベル測定部１３を使用して取得する。異常ＯＮＵ検出部１４は、各無通信区間の光受信レベルを取得することにより、取得した光受信レベルがＯＮＵ無通信状態のレベルと所定値以上の差があると判断した場合、ＯＬＴ１からの送信タイミング指示を守らない異常ＯＮＵが発生したことを検出する。
【００４２】
このとき異常ＯＮＵ検出部１４は、例えば図４における無通信区間ｔ１で異常がなく、次の無通信区間ｔ２で異常を検出した場合、その無通信区間ｔ２の直前に送信タイミングが割り当てられているＯＮＵ４−２（＃２）の送信タイミングに異常がある可能性が高いと判断する。すなわち、ＯＬＴ１からの送信制御信号に基づいて最後に光信号の送出動作を行ったＯＮＵ４−２（＃２）がタイミング異常を起こした可能性が高いと判断する。
【００４３】
以上のように、図４に例示した他の実施形態では、ＯＬＴ１に接続する単一の光ファイバ３を光カプラ２で分岐して複数のＯＮＵ４にそれぞれ接続し、本ＯＬＴ１により許可された各ＯＮＵ４ごとのタイミングで各ＯＮＵ４から本ＯＬＴ１に対して発光による信号をそれぞれ送信する光通信システムにおいて、通常運用中に、各ＯＮＵ４に排他的な送出タイミングを割り当てる度に、全ＯＮＵ４が送信を停止する無通信区間をその送出タイミング直後に設定する。
【００４４】
他の実施形態によれば、こうして無通信状態を各ＯＮＵ４の送信タイミングの間に配置し、ＯＬＴ１がその無通信区間の光受信レベルを監視することにより、光受信レベル異常を検出した場合、ＯＬＴ１より許可された送信タイミング指示を守らない異常ＯＮＵの発生を速やかに検出できると共に、その異常ＯＮＵである可能性が高いＯＮＵ４を特定することができる。
【００４５】
なお、上述した各実施形態は本発明の好適な実施形態であり、本発明はこれに限定されることなく、本発明の技術的思想に基づいて種々変形して実施することが可能である。
【００４６】
また、上述した各実施形態としてのＯＬＴを実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばハードディスク、光ディスク、光磁気ディスク、フロッピーディスク、磁気テープ、不揮発性のメモリーカード、ＲＯＭ等を用いてよい。
【００４７】
この本発明に係るプログラムによれば、当該プログラムによって制御されるＯＬＴに、上述した各実施形態における各機能を実現させることができる。
【００４８】
〔付記〕
上記の実施形態の一部または全部は、以下の付記のようにも記載されうるが、以下に限定されるものではない。
【００４９】
〔付記１〕
分岐装置により分岐された伝送路を介して複数の加入者側終端装置に接続されて用いられる局側光網終端装置であって、
前記各加入者側終端装置に排他的な送出タイミングを割り当てるスケジューリング手段と、
前記スケジューリング手段により割り当てられた送出タイミングに沿ってデータ送信を行わせるための制御信号を前記各加入者側終端装置に送信する制御信号送信手段と、
前記伝送路を介して受信される光信号を監視する監視手段と、を備え、
前記スケジューリング手段は、接続された全ての前記加入者側終端装置が光信号の送出を停止する無通信状態を含むようにスケジューリングし、
監視手段は、前記無通信状態における受信状態を含めて監視することを特徴とする局側光網終端装置。
【００５０】
〔付記２〕
前記スケジューリング手段は、前記無通信状態を、通常運用中に周期的に設定することを特徴とする付記１記載の局側光網終端装置。
【００５１】
〔付記３〕
前記スケジューリング手段は、送出タイミングの割り当て対象である全ての前記加入者側終端装置に排他的な送出タイミングを割り当てる周期毎に前記無通信状態を含めるようスケジューリングすることを特徴とする付記１記載の局側光網終端装置。
【００５２】
〔付記４〕
前記スケジューリング手段は、前記各加入者側終端装置に排他的な送出タイミングを割り当てる度に、該送出タイミング直後に前記無通信状態を含めるようスケジューリングすることを特徴とする付記１記載の局側光網終端装置。
【００５３】
〔付記５〕
前記監視手段により、前記無通信状態に所定値以上の光受信レベルが検出された場合、異常発生と判定する異常判定手段を備えたことを特徴とする付記１から４の何れか１項に記載の局側光網終端装置。
【００５４】
〔付記６〕
付記１から５の何れか１項に記載の局側光網終端装置に、前記分岐装置により分岐された伝送路を介して複数の前記加入者側終端装置が接続されて構成されたことを特徴とする光通信システム。
【００５５】
〔付記７〕
分岐装置により分岐された伝送路を介して複数の加入者側終端装置に接続されて用いられる局側光網終端装置による異常検出方法であって、
前記各加入者側終端装置に排他的な送出タイミングを割り当てるスケジューリング工程と、
前記スケジューリング工程により割り当てられた送出タイミングに沿ってデータ送信を行わせるための制御信号を前記各加入者側終端装置に送信する制御信号送信工程と、
前記伝送路を介して受信される光信号を監視する監視工程と、を備え、
前記スケジューリング工程では、接続された全ての前記加入者側終端装置が光信号の送出を停止する無通信状態を含むようにスケジューリングし、
監視工程では、前記無通信状態における受信状態を含めて監視することを特徴とする異常検出方法。
【００５６】
〔付記８〕
前記スケジューリング工程では、前記無通信状態を、通常運用中に周期的に設定することを特徴とする付記８記載の異常検出方法。
【００５７】
〔付記９〕
前記スケジューリング工程では、送出タイミングの割り当て対象である全ての前記加入者側終端装置に排他的な送出タイミングを割り当てる周期毎に前記無通信状態を含めるようスケジューリングすることを特徴とする付記８記載の異常検出方法。
【００５８】
〔付記１０〕
前記スケジューリング工程では、前記各加入者側終端装置に排他的な送出タイミングを割り当てる度に、該送出タイミング直後に前記無通信状態を含めるようスケジューリングすることを特徴とする付記８記載の異常検出方法。
【００５９】
〔付記１１〕
前記監視工程により、前記無通信状態に所定値以上の光受信レベルが検出された場合、異常発生と判定する異常判定工程を備えたことを特徴とする付記８から１０の何れか１項に記載の異常検出方法。
【００６０】
〔付記１２〕
分岐装置により分岐された伝送路を介して複数の加入者側終端装置に接続されて用いられる局側光網終端装置のプログラムであって、
前記各加入者側終端装置に排他的な送出タイミングを割り当てるスケジューリング手順と、
前記スケジューリング手順により割り当てられた送出タイミングに沿ってデータ送信を行わせるための制御信号を前記各加入者側終端装置に送信する制御信号送信手順と、
前記伝送路を介して受信される光信号を監視する監視手順と、を前記局側光網終端装置のコンピュータに実行させ、
前記スケジューリング手順では、接続された全ての前記加入者側終端装置が光信号の送出を停止する無通信状態を含むようにスケジューリングし、
監視手順では、前記無通信状態における受信状態を含めて監視することを特徴とするプログラム。
【００６１】
〔付記１３〕
前記スケジューリング手順では、前記無通信状態を、通常運用中に周期的に設定することを特徴とする付記１２記載のプログラム。
【００６２】
〔付記１４〕
前記スケジューリング手順では、送出タイミングの割り当て対象である全ての前記加入者側終端装置に排他的な送出タイミングを割り当てる周期毎に前記無通信状態を含めるようスケジューリングすることを特徴とする付記１２記載のプログラム。
【００６３】
〔付記１５〕
前記スケジューリング手順では、前記各加入者側終端装置に排他的な送出タイミングを割り当てる度に、該送出タイミング直後に前記無通信状態を含めるようスケジューリングすることを特徴とする付記１２記載のプログラム。
【００６４】
〔付記１６〕
前記監視手順により、前記無通信状態に所定値以上の光受信レベルが検出された場合、異常発生と判定する異常判定手順を前記局側光網終端装置のコンピュータに実行させることを特徴とする付記１２から１５の何れか１項に記載のプログラム。
【符号の説明】
【００６５】
１    ＯＬＴ
１１    光合分波器
１２    光受信部
１３    光受信レベル測定部
１４    異常ＯＮＵ検出部
１５    送信タイミング制御部
１６    光送信部
２    光カプラ
３    光ファイバ
４    ＯＮＵ
【図１】
2012151737.tif 000003
【図２】
2012151737.tif 000004
【図３】
2012151737.tif 000005
【図４】
2012151737.tif 000006
【図５】
2012151737.tif 000007